(57)【特許請求の範囲】
【請求項１】
平板状の光透過型材料製のパネルと、
パネルの端部に沿って設けられ、内部にチャンバを有するハウジングであって、チャンバに通じ、パネルの端部を受け入れる開口部を有するハウジング本体と、ハウジング本体に対し、固定手段を介して組立可能で、ハウジング内部のチャンバを規定する遠隔補足ハウジング本体と、から成るハウジングと、
ハウジングの開口部を介してハウジングのチャンバ内に設けられ、パネルの端部を受け入れる開口に光を照射する照明手段と、
ハウジングを、パネルを取り付けるべき支持部に固定することによって、パネルを、ハウジングを介してパネルを取り付けるべき支持部に取り付ける支持手段と
を含む、棚。
【請求項２】
前記照明手段からの光を前記パネルに向けて方向付ける手段を含む、請求項１に記載の棚。
【請求項３】
ハウジング本体、及び、遠隔補足ハウジング本体は、それぞれ、同質の鋳造ワンピース部材である、請求項１に記載の棚。
【請求項４】
ハウジング本体、及び、遠隔補足ハウジング本体は、それぞれ、同質の鋳造ワンピース部材であり、前記鋳造ワンピース部材はそれぞれ、固定手段を具備する、請求項１に記載の棚。
【請求項５】
パネルが矩形状であり、一対のハウジングが、パネル両側の一対の端部に沿って、それぞれ平行に延びるチャンバを有する、請求項１に記載の棚。
【請求項６】
前記支持手段は棚ブラケットである、請求項１に記載の棚。
【請求項７】
前記支持手段は、固定前記棚を上下方向に調節可能な様態で支持部に固定する手段を有する棚ブラケットである、請求項１に記載の棚。
【発明の詳細な説明】
【技術分野】
【０００１】
本発明は概して棚上げ作業に関し、特に、照光冷蔵庫棚およびその製造方法に関するものである。
【背景技術】
【０００２】
米国特許出願公報２００３／００３８５７１  Ａ１（公開日：２００３年２月２７日、発明者：Ｔｈｏｍａｓ  Ｗ．  Ｏｂｒｏｃｋら）において、本出願者が知るところにおいて最も本発明に近い従来技術についての開示がある。この技術は、側端照明を有する冷蔵庫棚を含む。図７〜図１４（特に図１０〜図１４）の棚は、光透過材料（例えば、強化ガラス）製の平板を含み、この平板は、その各側端に沿ってエンドキャップを有し、各エンドキャップは、間隔を空けて設けられた複数のライトまたは電球を持つ。これらのライトまたは電球は、ガラス板の端照光のための１２ボルト電流源へと適切に接続される。これらエンドキャップはそれぞれ、カンチレバー梁を支持することができ、このカンチレバー梁は実際は、冷蔵庫内区画の従来の溝付きトラックに対してカンチレバー棚を上下方向に調節するためのフックを有する棚ブラケットである。同特許では特に、カンチレバー式梁または棚ブラケットの上端をエンドキャップに固定する作業が、鋳造、接着、摩擦ばめ、封入、または他の任意の適切な取り付け手段によって可能である旨についての開示がある。適切な導体を用いてエンドキャップから突出させ、雌電導体からなるトラックと噛み合わせるようにすると、上下方向の調節によってカンチレバー付き棚の照光を様々な位置から行うことが可能となる。照光棚と関連付けられたライトの寿命は、（冷蔵庫扉が開いたときに毎日数分間だけ照光を行ったと仮定した場合において）およそ１０００時間になるように設計されており、その場合、ライトの寿命の方が冷蔵庫そのものの寿命よりも長くなり得るという話がある。しかし、このような話は、電力サージの可能性を考慮しておらず、電力サージが発生すると、ライトが焼き切れ、商品から液体漏れが発生し、その結果ショートが発生し、さらなるショートが発生し、任意の照明が損害を受け、ライト間の線が損傷を受ける可能性がでてくる。実際、強化ガラス板の前端および後端には巻き上げ部分があり、関連付けられたエンドキャップと漏出汚染されたボリュームを形成しているが、シーラント、ボンディング、封入部などに隙間または亀裂があったり、劣化して前述の商品のような状態になると、漏出した液体は容易にエンドキャップ中に入り、その結果ショートが発生し、これにより、当該照光棚の寿命および効果が減ってしまう。
【発明の開示】
【０００３】
本発明は、照明デバイスに関し、特に、照光棚に関する。この照光棚は、透明な光透過強化ガラスパネルと、反対側サイドハウジングと、各サイドハウジングとを含む。各サイドハウジングは、２つのハウジング部分から構成される。これら２つのハウジング部分は、区画ハウジング照明デバイス（例えば、光パイプ、ＬＥＤ）へのアクセスのための組立および分解が容易に可能である。各サイドハウジングは、強化ガラスパネルの端を受け入れるスロットを有し、各ハウジングは、当該棚を関連付けられた支持部（例えば、冷蔵庫区画の内部）へと固定する手段をさらに含む。開口および閉口が容易なハウジングを提供することにより、各ハウジングによって規定された各チャンバ内の照明に関連するいかなる問題についても、解析、修理、および棚交換が最小の時間、労力およびコストで可能となる。
【０００４】
各サイドハウジングは好適には、２本の比較的長目のハウジング本体から形成され、その際、１つのハウジング本体には、関連付けられた強化ガラスパネルの端部位を収容するためのスロットが設けられる。もう一方のハウジング本体には好適には、同部を冷蔵庫区画内部に固定するための一体化締結手段が設けられる。雄および雌のスナップ固定または結合手段がハウジング本体によって所有され、これにより、両者間の取り付けおよび取り外しが容易になる。
【０００５】
さらに本発明によれば、ハウジング全体および強化ガラスパネルの一部位を、合成重合体／共重合体材料によって封入することができる。ただし、ハウジングの少なくとも１つの軸先端は封入しない方が好ましい。その場合、ハウジングの非封入先端を用いて、ハウジングによって規定されたチャンバの内部（チャンバ内部には、例えば、光パイプ、光ファイバ光パイプ、ＬＥＤ、ＬＥＤ回路基板などが収容される）へのアクセスを得ることが可能となる。その結果、後者構成要素の使用期間が長期になった場合において故障が発生した場合において、その修理作業が容易となる。
【０００６】
ハウジングの軸先端を露出させる代わりに、強化ガラスパネル端部位近隣のハウジング本体の長手方向部位および上記端部位のみを封入して、その結果、残りのハウジング本体および双方のハウジング本体のスナップコネクタが未封入となる。この場合、適切な照明デバイスが収容されたハウジングのチャンバへのアクセスの際、同様に組立および分解が容易となる。
【０００７】
さらに本発明によれば、強化ガラスパネルの照光を、その側端を通じた照光とは対照的に、上側または下側から行うことも可能である。１つの場合において、強化ガラスパネルの下側または上側に向かって光を向けて、これにより後者を照明し、その内部をそれぞれ反射し通過する光線が、関連付けられた冷蔵庫の内部区画をさらに照光する。あるいは、強化ガラスパネルから離れるように（すなわち、強化ガラスパネルの下側方向あるいは強化ガラスパネルの上側方向に）光を方向付けて、下側棚および上側棚上の製品をそれぞれ照光することも可能であり、後者の場合、光線は、上棚の透明な強化ガラスパネルを通過する。
【０００８】
さらに本発明によれば、上記照光棚は、１２ボルトのステップダウン変圧器とスライディング棚の照明手段との間の電気回路を維持する適切な導体を備えたスライディング棚であってもよい。この場合、その照明動作は、スライディング調節の相対位置に関係無く得られる。
【０００９】
上記目的および本明細書中後述する他の目的を鑑み、以下の詳細な説明、添付の特許請求の範囲、および添付図面中に示すいくつかの図を参照すれば、本発明の本質はより明確に理解される。
【発明を実施するための最良の形態】
【００１０】
本発明に従って構築された新規な照明デバイスは、好適には棚の形態をとる。このデバイスを図１〜図３に示し、主に参照符号１０によって示す。
【００１１】
図面のうち図１に最良に示すように、上記棚１０は好適には、冷蔵庫Ｒの区画Ｃと関連付けられる。しかし、上記棚１０は、他の構造物（小売店の陳列ケース、家具キャビネット（皿陳列ケース）、作業場、洗濯場）においても容易に利用可能である。本発明の棚の用途がどのようなものであっても、本明細書中にて開示された様々な棚はそれぞれ、直接的または間接的に照光されるように設計されており、そのため、棚の上部、上側または下部で支持されている品物または製品の照光をより良好に行って、消費者の選択行動を支援する。
【００１２】
上記棚１０は、実質的に同じ２つのハウジング１１および１２を含む。これらのハウジング１１および１２は、光透過型材料の板、パネルまたは部材（例えば、強化ガラス、これを参照符号１３にて示す）を挟持した状態で収容する。
【００１３】
ハウジング１１および１２はそれぞれ、隣接し、内部にありかつ対向するハウジング本体、部材または部分１４、１４と、遠隔補足ハウジング本体、部材または部分１５、１５とを含む。各ハウジング１１、１２のこれらハウジング本体１４、１４および１５、１５により、内部チャンバ１６（図３および図４）が規定される。この内部チャンバ１６の主要部分は、概して均一な多角形または正方形の形態をしており、細長スロットまたは開口部２０を有する上側集光壁および下側集光壁１７および１８を通じて統合される。この開口部２０は、ガラスパネル１３の細長側端または側端部位３３、３４中にスライド可能な様態で収容され、その際、パネル１３の端子先端端３５（図３および図４）は、チャンバ１６の内部に向かって完全に露出している。
【００１４】
ハウジング１１および１２それぞれのハウジング本体は、上方向および下方向に方向付けられた４対のフック４１、４２をそれぞれ含む。これらのフック４１、４２は、取り外し可能な様態でかつスナップを用いて、最外ハウジング本体１５の各開口部４３およびクロスバー４４に固定され（図２〜図４）、これにより、各ハウジング１１および１２のハウジング本体１４、１５が組み立てられた際にスナップ固定された関係となるように維持し、かつ、これらの分解が容易に行えるようにする。
【００１５】
これらハウジング本体１４はまた、一体化手段４５も含む。この一体化手段４５は、開口部４６を有するブラケットの形態をしており、これら開口部４６を通じてファスナーＦ（図４）を挿入して、各ハウジング本体１４を反対側の壁Ｗ（図１）に固定して、冷蔵庫Ｒの区画Ｃ内にて支持された上記棚１０を維持できるようになっている。
【００１６】
また、ハウジング本体１４の長さは、ハウジング本体１５の長さよりも若干長めであり、反対側の閉口先端（符号無し）である開口可能な軸円錐ピラミッド形状の（ｆｒｕｓｔｏ−ｐｙｒａｍｉｄａｌ）チューブ状部位４７を含む。円錐ピラミッド形状部位４７それぞれの開口先端は、リムーバブルキャップ４８によって閉口される。これらのリムーバブルキャップ４８は、円錐ピラミッド形状部位４７にスナップ固定可能であり、その内部において、照明手段５０（図４）を持つ。この照明手段５０は、従来のＬＥＤおよび関連付けられた回路構成の形態をしており、これらは、電導体５１、５２により、１２ボルトのエネルギー源（例えば、ステップダウン変圧器（図示せず）に接続される。キャップ４８を円錐ピラミッド形状部位４７にスナップ固定する前に、手段５５（これは、長さ方向に沿って間隔を空けて設けられた複数の集光ファセット５６（図２〜図４）を有する透明なアクリル合成プラスチック材料製の光チューブの形態をしている）を、ハウジング１１および１２の各チャンバ１６に挿入し、その際、光方向付けファセット５６が、ＬＥＤ５０によって光チューブ５５を通して生成された光をその長さ方向に沿って方向付け、かつ、光透過型パネル１３の各端部位３３、３４の端子自由端３５へと入るようにし、これにより、その上で支持されたパネルおよび物体ならびにその下方および上方に配置された製品、エリアおよび空間が照明される。
【００１７】
光チューブ５５またはＬＥＤ５０に万が一問題が生じた場合、ファスナーＦをハウジング１１および１２のうちいずれかに沿って取り外し、その後上記棚１０を上側または下側に傾けて、ハウジング１１または１２全体を滑らせて、端部位３３、３４のうちいずれかから取り外し、その後、パネル１３全体をもう一方のハウジング１１または１２のスロット２０から取り外すことが可能である。取り外されたハウジングのキャップ４８は、円錐ピラミッド形状部位４７から取り外し可能であり、ＬＥＤ５０および／または関連付けられた回路構成の修理または交換が可能となり、その後部品を再度組み立てることができる。同様に、必要または望ましい場合、この分解法を用いて、光チューブ５５の除去および交換も可能である。そのため、ハウジング本体１４および１５と各ハウジング１１および１２との間の組立および分解と、これらとガラスパネル１３との間の組立および分解が容易になり、同様に、キャップ４８とハウジング１１および１２の円錐ピラミッド形状部位４７との間の組立および分解が容易になり、その結果、上記棚１０および関連付けられた冷蔵庫Ｒの寿命がある間は、上記棚１０により、意図通りの光値が常時生成されることになる。
【００１８】
本発明によって構築された別のやはり棚型の新規な照明デバイスを図面のうち図５〜図７に示し、主に参照符号１１０によって示す。
【００１９】
図面のうち図５に最良に示すように、上記棚１１０は好適には、冷蔵庫Ｒの区画Ｃと関連付けられる。しかし、上記棚１１０は、他の構造物（小売店の陳列ケース、家具キャビネット（皿陳列ケース）、作業場、洗濯場）においても容易に利用可能である。本発明の棚の用途がどのようなものであっても、本明細書中にて開示された様々な棚はそれぞれ、直接的または間接的に照光されるように設計されており、そのため、棚の上部、上側または下部で支持されている品物または製品の照光をより良好に行って、消費者の選択行動を支援する。
【００２０】
上記棚１１０は、実質的に同じ２つのハウジング１１１および１１２を含む。これらのハウジング１１１および１１２は、光透過型材料の板、パネルまたは部材（例えば、強化ガラス、これを参照符号１１３にて示す）を挟持した状態で収容する。上記棚１１０の構成要素のうち上記棚の構成要素と同じものについては、参照符号のはじめに「１＿  ＿」を付けて示している。
【００２１】
ハウジング１１１および１１２はそれぞれ、隣接し、内部にありかつ対向するハウジング本体、部材または部分１１４、１１４と、遠隔補足ハウジング本体、部材または部分１１５、１１５とを含む。各ハウジング１１１、１１２のこれらハウジング本体１１４、１１４および１１５、１１５により、内部チャンバ１１６（図７）が規定される。この内部チャンバ１１６の主要部分は、概して均一な多角形または正方形の形態をしており、細長スロットまたは開口部１２０を有する上側集光壁および下側集光壁１１７および１１８を通じて統合される。この開口部１２０は、ガラスパネル１１３の細長側端または側端部位１３３、１３４中にスライド可能な様態で収容され、その際、パネル１１３の端子先端１３５（図７）は、チャンバ１１６の内部に向かって完全に露出している。
【００２２】
ハウジング１１１および１１２それぞれのハウジング本体は、上方向および下方向に方向付けられた４対のフック１４１、１４２をそれぞれ含む。これらのフック１４１、１４２は、取り外し可能な様態でかつスナップを用いて、最外ハウジング本体１１５の各開口部１４３およびクロスバー１４４に固定され（図７）、これにより、各ハウジング１１１および１１２のハウジング本体１１４、１１５が組み立てられた際にスナップ固定された関係となるように維持する。
【００２３】
ハウジング１１１および１１２は、光チューブ（例えば、光チューブ５５）を持っておらず、その代わり、その内部において照明手段１５０（図７）を持つ。この照明手段１５０は、１つ以上の従来のＬＥＤおよび関連付けられた回路構成の形態をしており、これらは、電導体１５１および１５２ならびにトラック１６３および１６４の各導電性ストリップ１５３および１５４により、１２ボルトのエネルギー源（例えば、ステップダウン変圧器（図示せず））へとそれぞれ接続される。各トラック１６３および１６４は、プラスチック材料の封入または境界１７０のフック１６６を受け入れるスロット１６５を有する。この封入または境界１７０は、ハウジング１１１および１１２ならびに透明な強化ガラスパネル１１３の端１３３および１３４を完全に封入する。ハウジング１１１および１１２のテーパー付き壁１１７、１１８は、ＬＥＤ１５０〜スロット１２０によって生成された光を、その長さ方向に沿って方向付け、かつ、光透過型パネル１１３の各端部位１３３、１３４の端子自由端１３５へと入るようにし、これにより、その上で支持されたパネルおよび物体ならびにその下および上方に配置された製品、エリアおよび空間が照明される。導体１５１、１５２は、フック１６６と係合した特定のスロット１６５に関係なく、各導電性ストリップ１５３、１５４と電気的に接触している点に特に留意されたい。そのため、上記棚１１０を上げ下げすることにより、冷蔵庫Ｒの区画Ｃを選択的かつ／または比例的に照光することが可能となる。
【００２４】
本発明によって構築された別の新規な照明デバイスを図面のうち図８に示し、主に参照符号２１０によって示す。
【００２５】
上記棚２１０は、上記棚１１０と実質的に同じであり、類似の構成要素には、参照符号のはじめに「２＿  ＿」を付けて示している。
【００２６】
棚１１０と棚２１０との間の唯一の違いは、上記棚２１０の各ハウジング２１１および２１２の各チャンバ２１６の軸先端開口部２４９が封入されておらず、各開口部２４９を閉口するキャップ２４８を例えば（例えばＬＥＤ２５０および／またはその回路が動作不能となった場合に）修理目的などのためにそこから取り外すことができる点である。
【００２７】
別の棚型の新規な照明デバイスを図面のうち図９に示し、主に参照符号３１０によって示す。
【００２８】
上記棚３１０は、上記棚１１０と実質的に同じであり、類似の構成要素には、参照符号のはじめに「３＿  ＿」を付けて示している。
【００２９】
上記棚３１０と上記棚１１０との間の相違点は主に２点ある。すなわち、透明な強化ガラスパネル３１３の端３３３、３３４は、各ハウジング本体３１４、３１５の細長スロット３２０によって受け入れられておらず、その代わり封入３７０によって周囲を完全に封入されており、細長レンズ３８０はスロット３２０に収容されている。各ハウジング３１１、３１２は下方向に角度を付けて設けてあるため、ＬＥＤ３５０から発射された光は下向きに方向付けられ、強化ガラスパネル３１３の下側から反射した光のみが、そこを通じて上方向に方向付けられ、これにより、その上に配置された製品および／またはその上方の空間が照明される。しかし、ハウジング３１０、３１１を下側に再度向けると、下向き照明が最大限得られ、それと同時に、強化ガラスパネル３１３上方の受容可能照明を通じた光は減少する。
【００３０】
図面のうち図１０に示す別の棚４１０は、上記棚３１０と実質的に同じであり、類似の構成要素には、参照符号のはじめに「４＿  ＿」を付けて示している。
【００３１】
棚３１０と棚４１０との間の主な相違点は、ハウジング４１１、４１２の方向付けの際、光が上方に各レンズ４８０を通じて方向付けられ、透明な強化ガラスパネル４１３に向かって伸び、パネル４１３を通り抜け、パネル４１３から下方向に反射するようにした点である。そのため、強化ガラスパネル４１３上に配置された物体は、上記棚４１０によって上記棚３１０の場合よりもかなり大量の照明を受ける。しかし、強化ガラスパネル４１３から下方向に反射した光は、その下側の空間／製品を適切に照明する。
【００３２】
図１１の棚５１０は、図１０の上記棚４１０と実質的に同じであり、類似の構成要素には、参照符号のはじめに「５＿  ＿」を付けて示している。
【００３３】
棚４１０と棚５１０との間の唯一の違いは、上記棚４１０の場合には光線をレンズ４８０を通じて上向きに方向付けたのと対照的に、各ハウジング５１１、５１２を強化ガラスパネル５１３上方に配置する際、レンズ５８０を通じて光が下向きになるようにした点である。
【００３４】
本発明に従って構築された別の棚を図面のうち図１２に示し、主に参照符号６１０によって示す。上記棚６１０の構成要素のうち、本明細書中にて述べてきたものに対応するものについては、参照符号のはじめに「６＿  ＿」を付けて示している。
【００３５】
上記棚６１０と上述してきた棚との間の主な相違点は、上記棚６１０では照明源を排除している点である。その代わり、上記棚６１０は、封入または境界１７０に対応する封入または境界６７０を含む。これは、透明な強化ガラスパネル６１３の端６３３、６３４を含む端周辺全体を完全に封入するものである。さらに、封入部６７０は、透明な材料（例えば、光源Ｓ（例えば、冷蔵庫区画中の従来の電球）からの光を方向付けるための角度付き内面６７６を有する強化ガラス）製のストリップまたは部材６７５を、強化ガラスパネル６１３を通じて上方向に封入する。内面６７６に鏡を付けて、内面６７６に入射する光源Ｓからの光の反射量を増やすようにしてもよい。さらに、ストリップ部材６７６は、強化ガラスパネル６１３の側端６３３、６３４のみに沿って配置してもよいし、あるいは、封入部６７０の後部位（図示せず）のうちの一方またはその両側に沿って配置してもよい。
【００３６】
本発明に従って構築された別のやはり棚型の新規な照明デバイスを図面のうち図１３および図１４に示し、主に参照符号７１０によって示す。
【００３７】
上記棚７１０は、上述してきた棚（特に図５〜図７の上記棚１１０）と実質的に同じであり、類似の構成要素には、参照符号のはじめに「７＿  ＿」を付けて示している。
【００３８】
棚１１０と棚７１０との間の唯一の違いは、上記棚７１０が別個の金属棚ブラケットＢを含む点である。これらの金属棚ブラケットＢは、トラック７６３、７６４のスロット７６５との係合のためのフック（図示せず）を持つ。
【００３９】
本発明に従って構築された最後の棚を、主に参照符号８１０（図１５および図１６）によって示す。この棚は、照光スライディング棚として構築され、金属またはプラスチック製のカンチレバー式棚ブラケットＢ’、Ｂ’に沿ってスライドさせることができる。これらの棚ブラケットＢ’、Ｂ’は、クロスロッドＣＲによって相互にリジッド結合され、トラック８６３、８６４の従来のスロット８６５に係合するフック（図示せず）を持つ。ハウジング８１１、８１２は、その内部において、電導体８５１、８５２によって１２ボルトのエネルギー源（例えば、ステップダウン変圧器（図示せず））へと接続された１つ以上の従来のＬＥＤおよび関連付けられた回路構成の形態をした照明手段８５０（図１６）を持つ。しかし、導体８５１、８５２は、各トラック８６３、８６４の各導電性ストリップ８５３、８５４と直接接触しておらず、その代わり、各ブラケットＢ’のオフセット部位ＯＰ（これは、封入８７０の細長凸状で外向きの開口部溝Ｇにスライドできる関係にある）の上側内面（符号なし）によって支持される各導電性ストリップ９５１、９５２と接触している。ブラケットＢ’がプラスチック材料製である場合、導電性ストリップ９５１、９５２をその内部に埋設するだけで、各導体８５１、８５２とのスライド接触が得られ、その際、導電性ストリップ９５１、９５２の先端は、各トラック８６３、８６４の各導電性ストリップ８５３、８５４と係合する。しかし、ブラケットＢ’が金属材料製である場合、導電性ストリップ９５１、９５２を従来通りそこから絶縁する必要がある。しかし、上記棚８１０のブラケットＢ’に対する相対スライド位置がどこであっても、電気的接触は維持され、強化ガラスパネル８１３は、その反対側の側端８３５を通じて照光される。
【００４０】
本明細書中、本発明の好適な実施形態について具体的に例示および説明してきたが、本装置には、添付の特許請求の範囲に記載されているような本発明の趣旨および範囲から逸脱することなく詳細変更が可能であることが理解されるべきである。
【図面の簡単な説明】
【００４１】
【図１】図１は、照明デバイス（たとえば、照光棚）の部分斜視図であり、冷蔵庫の一区画中に収容された照光棚を示す。
【図２】図２は、図１の照光棚の斜視図であり、分かり易さのため、部品を分解した状態にしてある。図２は、複数の反対側サイドハウジングを含む照光棚の詳細を示す。これらの反対側サイドハウジングはそれぞれ、光透過型透明パネルの端を受け入れるスロットと、光パイプと、これら分解されたハウジングのうちの１つを有する。
【図３】図３は、図１の３−３においておおよそ切り出された部分拡大断面図であり、棚のサイドハウジング内に設けられた透明光チューブから発射された光線が光透過型強化ガラスパネルの端に当たる様子を示す。
【図４】図４は、図２の４−４においておおよそ切り出された部分拡大断面図であり、ハウジング本体または部分のうちの１つが、冷蔵庫区画壁に固定され、反対側ハウジング部分にスナップ固定されている様子を示す。
【図５】図５は、別の棚型照明デバイスの部分斜視図を示し、冷蔵庫の一区画内の溝付きトラックと棚とが関連付けられた様子を示す。
【図６】図６は拡大部分斜視図であり、棚の電導体およびフックおよびスロットと、当該棚と関連付けられた照明デバイスへの電流の提供および棚とトラックとの間の上下方向調節を行うためのトラックの１つと、を示す。
【図７】図７は、図５の７−７においておおよそ切り出された部分拡大断面図であり、電導体、スナップ固定された二部ハウジング、およびこのハウジング全体を封入する封入形態の連続境界、そのスナップ接続部と、ハウジングのチャンバ内のＬＥＤ回路に露出したハウジングスロットにおいて受け入れられた強化ガラスパネルの端部分との詳細を示す。
【図８】図８は、図７に類似する別の照光棚の部分断面図であるが、ハウジングの非封入状態の軸先端壁を示し、これは、ＬＥＤおよびその回路を支持して、修理時にハウジングチャンバへの軸方向アクセスを可能にする。
【図９】図９は、図７に類似する別の照光棚の部分断面図であり、ハウジングによって規定されたチャンバを示す。このチャンバにおいて、ＬＥＤおよびその回路は、ハウジングに向けて封入された光透過ガラスパネルから遠位方向に向けられたレンズを通じて光を発射する。
【図１０】図１０は、図９に類似する別の照光棚の部分斜視図であり、ハウジングのチャンバ中に収容されたＬＥＤおよびその回路と、関連付けられた光透過型強化ガラスパネルの下側内面に向かってかつそこを通じて光を発射する１つ以上のレンズとの関連を示す。
【図１１】図１１は、図１０に類似する部分断面図であり、別のＬＥＤおよびその回路構成を示す。このＬＥＤは、１つ以上のレンズを通じて送られる光を生成し、この光は、関連付けられた光透過型強化ガラスパネルの上部内面に向かってかつそこを通じて送られる。
【図１２】図１２は、図１１に類似する部分断面図であり、光透過型強化ガラス片の端の境界周囲をその各反対側に沿って完全に封入した様子のうちの１つのみを示す。照明上記照光棚と関連付けられていない内部光源から上記強化ガラスパネルを照明するための光透過型反射部材も示す。
【図１３】図１３は、別の照光棚の部分斜視図であり、棚と冷蔵庫区画のトラックとの関連を示す。
【図１４】図１４は、図１３の１４−１４においておおよそ切り出された拡大部分断面図であり、２つの金属棚ブラケットのうちの１つを示す。この金属棚ブラケットは、上記照光棚を上記区画トラックにカンチレバー式に支持するためのものであり、その際、各ブラケットツーピースハウジングと、強化ガラス片の端部位とを用いて封入を行う。
【図１５】図１５は、スライド可能照光棚の部分斜視図であり、カンチレバー式棚ブラケットの導電性ストリップおよび冷蔵庫区画の上下方向トラックと関連付けられたスライド可能棚を示す。
【図１６】図１６は、図１５の１６−１６においておおよそ切り出された拡大断面図であり、反対側のカンチレバー式棚ブラケットの１つと棚との間のスライド取り付け関係と、上記スライディング接続部分を形成する電導体により、上記スライド可能棚と上記棚ブラケットとの位置関係がどんなものであっても電流を提供する様子とを示す。
【符号の説明】
【００４２】
１０、１１０、２１０、３１０、４１０、５１０、６１０、７１０、８１０…棚
１１、１２、１１１、１１２、２１１，２１２、３１１、３１２、４１１、４  １２、５１１、５１２、７１１、７１２、８１１、８１２…ハウジング
１３、１１３、２１３、３１３、４１３、５１３、６１３、７１３、８１３…強化ガラスパネル
１３、１１３、２１３、３１３、４１３、５１３、６１３、７１３、８１３…一片の強化ガラス
１３、１１３、２１３、３１３、４１３、５１３、６１３、７１３、８１３…光透過型材料パネル  
１６、１１６、２１６、３１６、４１６、５１６…チャンバ
２０、１２０、２２０…開口部
５０、１５０、２５０、３５０、４５０、５５０、７５０、８５０…照明手段
５０、１５０、２５０、３５０、４５０、５５０、７５０、８５０…ＬＥＤ
５５…光チューブ…
１５３、１５４、２５３、２５４、７５３、７５４、８５３、８５４…導体手段  
１７０、３７０、４７０、５７０、６７０、７７０、８７０…封入手段
３８０、４８０、５８０…レンズ手段
【図１】
0004636819.tif 000002
【図２】
0004636819.tif 000003
【図３】
0004636819.tif 000004
【図４】
0004636819.tif 000005
【図５】
0004636819.tif 000006
【図６】
0004636819.tif 000007
【図７】
0004636819.tif 000008
【図８】
0004636819.tif 000009
【図９】
0004636819.tif 000010
【図１０】
0004636819.tif 000011
【図１１】
0004636819.tif 000012
【図１２】
0004636819.tif 000013
【図１３】
0004636819.tif 000014
【図１４】
0004636819.tif 000015
【図１５】
0004636819.tif 000016
【図１６】
0004636819.tif 000017